(57)【要約】      （修正有）【課題】外部に露出するホットプレートがないため、軽量化と火傷などの危険性を避けることができる。また、塩を用いないため、誤動作の恐れがないスチームアイロンを提供する。【解決手段】淡水が入っている水タンクＷとスチーム排出口１１０を備えたスチームアイロンにおいて、商用電源を印加する上記の水タンク内の淡水と接触可能な各々が２．５ｍｍ〜３．５ｍｍの間隔で配置される少なくとも３個の電極２００を有し、それぞれの電極はカーボン材質で形成され、互いに隣接する電極と対面する面が５．５〜６．５ｍ２の表面積を有することを特徴としてスチームアイロンを構成する。【選択図】図４
0003165052.tif 000002
【実用新案登録請求の範囲】
【請求項１】
淡水が入っている水タンクとスチーム排出口を持つスチームアイロン本体および商用交流電源が加えて、上記の水タンクにある淡水と接触可能な各々が２．５ｍｍ〜３．５ｍｍ間隔で離隔、配置される少なくとも３個の電極を持って、上記のそれぞれの電極らは、カーボン材質で形成されて、互いに隣接する電極と対面する面が５．５〜６．５ｍ２の表面的を持つのを特徴にするスチームアイロン。
【請求項２】
第１項において、
上記交流電源が１００〜１２０Ｖの場合、上記の複数の電極は同じ大きさの第１から第４電極が１列配置されて、上記の第１および第３電極と上記の第２および第４電極が互いに連結して、上記の商用交流電源と連結するのを特徴にするスチームアイロン。
【請求項３】
第１項において、
上記の交流電源が２００〜２４０Ｖの場合、上記の複数の電極は同じ大きさの第１から第３電極が１列配置されて、上記の第１および第３電極が互いに連結されて、上記の商用交流電源と連結するのを特徴にするスチームアイロン。
【請求項４】
第１項において、
上記のスチームアイロン本体の上記のスチーム排出口と上記の水タンクの間に配置されて、上記の水タンクで生成されたスチームを上記のスチーム排出口側にガイドする少なくとも３枚の遮断板をもつのを特徴にするスチームアイロン。
【請求項５】
第４項において、
上記の遮断板は、上記の遮断板の少なくとも一面に設置されて、スチーム移動方向に対し上側に傾斜するように配置された複数のガイドピンおよび上記の水タンクで生成されたスチームを通過させるスチーム通過ホールをもつのを特徴にするスチームアイロン。
【請求項６】
第５項において、上記スチーム通過ホールは、隣接する遮断板のスチーム通過ホールと互いに迎え合わないように配置されたことを特徴にするスチームアイロン。
【考案の詳細な説明】
【技術分野】
【０００１】この考案はスチームアイロンに関するもので、具体的には塩を加えずに、淡水だけで、スチームを作れるスチームアイロンに関することである。
【背景技術】
【０００２】一般的にスチームアイロンはスチームと熱板を一緒に利用する方式とスチームだけを利用する方式に分けられる。
スチームと熱板を一緒に利用する方式は、銅線などの電熱ヒータを利用し、電熱ヒータで発生される熱で水を加熱し、スチームを作り、金属材質のホットプレート（ｉｒｏｎ）を加熱し、ホットプレートで衣類を加圧し、熱とスチームで衣類をアイロンがける。しかし、スチームと熱板を一緒に利用する方式は、衣類を加圧する為にアイロン板が必要で、高温に過熱されるホットプレートが要るため、消費電力が高く、使用する人に火傷の危険性が高い問題点がある。
スチームだけを利用する方式は、ヒータを利用しなく、水タンクに注入される水に一定量の塩を添加し、水タンクの中の水を電解溶液にし、この電解溶液に複数の電極を沈潜させ、この電極に電気を加え、この時発生される熱を利用し、水を沸かしてスチームを作る。このような方法を利用すれば、ホットプレートを利用し、生成されるスちームに比べて相対的に少ない消費電力で、スチームを生成する長点があり、外部に露出されるホットプレートがないため、使用者に火傷の危険性も少なくなる。又、金属材質のホットプレートを付ける必要がないために、スチームアイロンの重さを大変軽くすることが出来る長点がある。
しかし、スチームだけを利用する方式のスチームアイロンは、注入する水に必ず一定量の塩を入れなければならない。又塩のような不純物を水に希釈するため、長期間使用する場合にはスチームアロンの内部に塩などの残留不純物による誤動作の恐れもある問題点がある。
一方、塩を加えずに抵抗熱を利用し、淡水を過熱する熱線ヒータ方式のスチームアイロン技術も存在するが、水と接続する熱線ヒータを銅などのような熱伝導性の優れた金属材質を使用しなければならないから、スチームアイロンの重さが重たくなる問題点がある。
【考案の概要】
【考案が解決しようとする課題】
【０００３】この考案は上記のようなことを考え、案出されたことで、塩の添加なしで淡水だけで動作出来る構造が改善されたスチームアイロンを提供するのに目的がある。
【課題を解決するための手段】
【０００４】上記のような目的を達成するためのこの考案によるスチームアイロンは、淡水を貯蔵する水タンクとスチーム排出口を持つスチームアイロンの本体及び商用交流電源が加えて、上記水タンクに入っている水と接続が可能な各々２．５ｍｍ〜３．５ｍｍ間隔で離隔配置される、少なくとも３個の電極を含み、上記電極らは、カーボン材質で形成、お互いに隣接する電極と対面する面が５．５〜６．５ｃｍ２の表面積をもつのを特徴にすることとする。
上記交流電源が１００〜１２０Ｖの場合は、上記複数の電極は同一な大きさの第１から第４電極までが１列配置され、上記第１及び第３電極と上記第２及び第４電極がお互いに繋がり、上記商用交流電源に連結されるのが望ましい。
上記交流電源が２００〜２４０Ｖの場合は、上記複数の電極は同一な大きさの第１から第３電極までが１列配置され、上記第１及び第３電極がお互いに繋がりｌ、上記商用交流電源に連結されるのが望ましい。
一方、上記スチームアイロン本体の上記のスチーム排出口と上記の水タンクの間に配置され、上記水タンクで生成されたスチームを上記のスチーム排出口にジグザグにガイドする少なくとも３枚の遮断板が設けられる。
上記の遮断板は、少なくとも１面に設けられ、スチームの方向に対して上に向けて傾いて配置された複数のガイドピン及び上記の水タンクで生成されたスチームを通過させるスチーム通過ホールを持たせるほうが望ましい。
上記のスチーム通過ホールは、隣接の遮断板のスチーム通過ホールと同じ方向に配置されないほうが良い。
【考案の効果】
【０００５】以上のようなこの考案によると、加える電圧とスチームアイロンの大きさにより、電極の個数と位置を適切に調節、配置し、淡水だけでスチームを生成するスチームアイロンを作ることが出来て、使用者がスチームアイロンを使用する毎に水に塩を入れる面倒を解消することが出来る。
【図面の簡単な説明】
【０００６】
【図１】はこの考案のスチームアイロンの例の斜視図、
【図２】は、図１のスチーム排出口を正面にした図面、
【図３】は、図２の対面で、取っ手を正面にした図面、
【図４】は、この考案のスチームアイロンの一例の側面図、
【図５】は、図１の平面図、
【図６】は、ガイドピンを備えた遮断板を図示した図面、
【図７】は、ガイドピンを備えた遮断板を図示した図面、
【図８】は、１００〜１２０Ｖの電源が加える場合の電極配置を図示した図面、
【図９】は、２００〜２４０Ｖの電源が加える場合の電極配置を図示した図面、そして
【図１０】は、図８の第１電極を図示した斜視図である。
【考案を実施するための形態】
【０００７】以下、この考案によるスチームアイロンを添付図面と共に説明する。
図１は、この考案によるスチームアイロンを図示した斜視図であり、図２は、図１のスチーム排出口が位置した面を正面にした正面図、図３は、図２の後面図、図４は、この考案によるスチームアイロン本体（１００）の側面図として、内部の構造を表すために一部は断面で表示した。
図示された通り、本考案によるスチームアイロンはスチームアイロン本体（１００）および複数の電極（２００）を持つ。
スチームアイロン本体（１００）は、蓋（１０１）、取っ手（１０２）および電源連結部（１０３）を含んで、アイロンがけのための服生地と向き合う面にはスチーム排出口（１１０）が用意される。
スチーム排出口（１１０）は概略円型で用意されて、その周辺には毛皮の毛をきちんと整理できるブラシを結合できるアクセサリー結合穴（１１１）が用意される。
蓋（１０１）は上記スチームアイロン本体（１００）の上段に開閉可能に設置されて、使用者がスチームアイロン使用のために淡水を補充できるようにする。
ここで淡水は塩のような電解物質を混合しない、一般的な水を意味して、例えば水道水、ミネラルウォーターなどを含める。
取っ手（１０２）は上記スチーム排出口（１１０）が形成された面の反対側面に形成されて、使用者がスチームアイロン本体（１００）を取るようにする。
そして、取っ手（１０２）を握った状態で、親指指が付ける位置にはスチームアイロンをオン／オフ出来る作動スイッチ（Ｓ，図３および図５参照）が用意される。
電源連結部（１０３）は上記の取っ手（１０２）の下の方に用意されて、上記の複数の電極（２００）と連結されている。
上記の電源連結部（１０３）には商用交流電源と連結するプラグを備えた電源コードが結結される。
図４を参照すれば、上記のスチームアイロン本体（１００）の下部にはスチーム形成のための水が保存される水タンク（Ｗ）がいて、上記の水タンク（Ｗ）には複数の電極（２００）が設けられる。
この時、上記の水タンク（Ｗ）に入れる水は塩が含まれていない淡水を利用する。
電極（２００）の個数と配置関係は後にまた説明する。
上記のスチームアイロン本体（１００）内部のスチーム排出口（１１０）と水タンク（Ｗ）の間の空間には少なくとも３枚の遮断板（１２０）が設けられる。
上記の遮断板（１２０）は上記の水タンク（Ｗ）に入れた淡水の逆流を抑制する役割を遂行して、複数の電極と淡水の間の作用により形成されたスチームだけを上記のスチーム排出口（１１０）を通じて、外部に排出できるようにする。
したがってスチームアイロンが傾いたり倒れた場合にも水タンク（Ｗ）に入れた水がスチーム排出口（１１０）で出てくるのを防止できる。
図５はこの考案によるスチームアイロンを上から見下ろした図面で、先に説明した通り、上記の取っ手（１０２）の上に使用者が取っ手（１０２）を握った状態で親指でスチームアイロンの電源をオン／オフ出来る作動スイッチ（Ｓ）が用意される。
図６および図７はこの考案によるスチームアイロンの遮断板を図示した図面である。
図示された通り、遮断板（１２０）はスチームアイロン本体（１００）の内側空間部の形状に対応されるように用意され、この考案の場合ディスク形態で構成した。
上記の遮断板（１２０）は複数のガイドピン（１２１、図６および図７参照）と、スチーム通過ホール（１２２）を備える。
上記のガイドピン（１２１）は上記の遮断板（１２０）の一面または前後面にスチーム移動方向に対し進行方向に傾斜するように配置されて、上記の水タンク（Ｗ）で形成されたスチームの移動経路をガイドして、遮断板（１２０）の強度を補強できる。
上記のスチーム通過ホール（１２２）は上記の水タンク（Ｗ）で生成されたスチームを通過させる通路として、スチームアイロン本体（１００）の内側壁面から一定の距離が離隔された半円型の半径（ｈ）を持つように形成される。
上記のスチーム通過ホール（１２２）は、図４に図示された通り、隣接する遮断板（１２０）に形成されたスチーム通過ホール（１２２）と互いに迎え合わないように配置される。
したがって、上記の水タンク（Ｗ）で形成されたスチームは矢印Ａに表示された通りジグザグ経路を通じて、スチーム排出口（１１０）で輩出して、まだスチームになっていない淡水はスチーム排出口（１１０）で逆流されないで、最大限水タンク（Ｗ）に残っていられる。
一方、上記の遮断板（１２０）は上記のスチーム通過ホール（１２２）以外の空間ではスチームが移動することができないように上記のスチームアイロン本体（１００）内部空間にシーリングされる。
また遮断板（１２０）はスチームアイロン本体（１００）が形状を維持するように支持する機能を遂行することもできる。
図８および図９は本考案による複数の電極（２００）らの配置関係を表した図面である。
複数の電極（２００）は上記の電源連結部（１０３）を通じて、商用交流電源（５０，６０Ｈｚ  １００〜１２０Ｖまたは２００〜２４０Ｖ）と通電可能に連結する。
複数の電極（２００）は金属で形成することもできるが、軽くて電気伝導性が優れたカーボン材質で形成されることが望ましい。
上記電極（２００）は上記の水タンク（Ｗ）内側に少なくとも３個が配置されることが良いし、加える電源の電圧によってその個数が決定される。
例えば、１００〜１２０Ｖの交流電源が供給される地域で使われるスチームアイロンを構成する場合には、図８に図示された通り、同じ大きさおよび材質の総４個の電極（第１から第４電極（２１０〜２４０））が１列に配置される。
図示された通り第１および第３電極（２１０）（２３０）がお互い連結して、第２および第４電極（２２０）（２４０）がお互い連結して、２個の電源線で構成された電源コードに供給される上記の交流電源の各電源線に連結することが良い。
例えば、２００〜２４０Ｖの交流電源が供給される地域で使われる時には、図９に図示された通り、同じ大きさおよび材質の総３個の電極（第１から第３電極（２１０’〜２３０’））が１列に配置される。
図示された通り、第１および第３電極（２１０’）（２３０’）を互いに連結して、交流電源に連結した２個の電源では中、１個の電源線に連結して、上記の第１および第３電極（２１０’）（２３０）’）の間に配置された上記の第２電極（２２０’）は他の１個の電源線に連結して、上記の交流電源と連結することが良い。
そして上記の複数の電極（２００）は塩なしで淡水だけでスチームを生成できるように互いに迎え合う面の断面積とむかえ合う面らの間の間隔（ｇ）を適切に決定する必要がある。
この考案の望ましい実施例によれば、１００〜１２０Ｖで使用する場合、上記の複数の第１から第４電極（２１０〜２４０）までの間の間隔（ｇ）は２．５〜３．５ｍｍの間の距離を持つことが良いが、３ｍｍ間隔に配置されることが最も良い。
また、２００〜２４０Ｖで使用する場合、やはり先の実施例と同じく、３ｍｍ間隔で第１から第３電極（２１０’〜２３０’）までが配置されることが良い。
また、互いに隣接する電極らが互いに迎え合う面議断面積は５．５〜６．５ｍ２の値を持つことが良いが、６ｍ２で形成することが最も良い。
図１０は、この考案による電極の例で、第１電極（２１０）を図示した図面である。
参照符号ａは高さ、ｂは幅、ｌは長さを表したことで、ａ：ｂ：ｌ＝２：１：３の比率を持つのに、この考案では高さ２ｃｍ、幅１ｃｍ、長さ３ｃｍを持つように第１電極（２１０）を構成して、隣接する電極らが互いに迎え合う面の断面積が６ｍ２になるように形成した。
以上では複数個の電極（２００）ら全てが同じ大きさを持つように構成されたが、これを限定するのではないし、必要によりその大きさは互いに違うように構成するのも可能である。
互いに迎え合う面の断面積を一定に維持しなくても、それぞれの電極（２００）らが互いに離隔された距離を一定に維持することがさらに重要であるからである。
以下、この考案によるスチームアイロンの動作を図面と共に説明する。
説明の便宜上、１１０Ｖが加える図８の電極配置構成を例にして、説明する。
図１に図示された通り、この考案によるスチームアイロンは一般的なアイロンとは違うように、立てられた状態で使用することが望ましい。
すなわち、この考案によるスチームアイロンは既存のホットプレートを加熱して、熱とスチームおよび圧力で服生地をアイロンがけるのではなく、スチーム排出口（１１０）を通じて、噴射されるスチームだけを利用して、服生地のしわを伸ばす方式であるためである。
使用者は、上記の水タンク（Ｗ）に水を計量カップを利用して、１回淡水を注入する。
この時、既存のスチームアイロンと同じように塩などを水に添加する必要がない。
淡水の補充が完了すれば、使用者は取っ手（１０２）を握って、親指でスイッチ（Ｓ）をオン（ＯＮ）して、スチームアイロンを作動させる。
すると、上記の淡水内に沈潜されている上記の第１から第４電極（２１０〜２４０）には１１０Ｖの交流電源が加われ、上記の淡水と第１から第４電極の間の作用により、スチームが発生する。
例えば、電極の間の淡水により発生する抵抗熱、または淡水の電気分解作用により、発生する電気分解熱により、スチームが生成される。
ところが、この考案は淡水を利用するために、塩を入れて、電解溶液を作り使用する既存スチームアイロンに比べて、水の抵抗（Ｒ）値が高い。
したがって、スチームを円滑に発生させるためには、電極（２００）らの間の距離を狭めて、互いに迎え合う面の断面積を大きく形成する必要がある。
実験によれば、複数の電極（２００）らの間の間隔（ｇ）を３ｍｍで構成すれば、塩を使用しなくてもスチームが形成されたし、互いに迎え合う面の断面積は６ｍ２である時、スチームアイロンの最適出力である４５０Ｗを達成出来たのである。
上記の通り、配置された電極（２００）らを利用して作られたスチームは遮断板（１２０）に形成された通過穴（１２２）をジグザグで通過するのに、上記の遮断板（１２０）表面に突出したガイドピン（１２１）はスチームがより円滑にスチーム排出口（１１０）で移動できるようにする。
以上のようにこの考案によれば、塩を入れる面倒なく、淡水だけでスチームアイロンの使用が出来て、使用者の便宜性が向上出来る。
また、使用者が定量の塩を入れないとか、水の量の変化にともなう電解溶液の濃度変化による誤作動が防止できる。
【符号の説明】
【０００８】１００：スチームアイロン本体          １０１：蓋
１０２：取っ手                        １０３：電源連結部
１１０：スチーム排出口                １１１：アクセサリー結合穴
１２０：遮断板                        １２１：ガイドピン
１２２：通過穴                        ２００：電極
２１０〜２４０：第１から第４電極      ２１０〜２３０：第１から第３電極
Ｓ：スイッチ
【図１】
0003165052.tif 000003
【図２】
0003165052.tif 000004
【図３】
0003165052.tif 000005
【図４】
0003165052.tif 000006
【図５】
0003165052.tif 000007
【図６】
0003165052.tif 000008
【図７】
0003165052.tif 000009
【図８】
0003165052.tif 000010
【図９】
0003165052.tif 000011
【図１０】
0003165052.tif 000012
【手続補正書】
【提出日】平成22年10月8日(2010.10.8)
【手続補正１】
【補正対象書類名】実用新案登録請求の範囲
【補正対象項目名】全文
【補正方法】変更
【補正の内容】
【実用新案登録請求の範囲】
【請求項１】
淡水が入っている水タンクとスチーム排出口を備えたスチームアイロンにおいて、商用電源を印加する上記の水タンク内の淡水と接触可能な各々が２．５ｍｍ〜３．５ｍｍの間隔で配置される少なくとも３個の電極を有し、それぞれの電極はカーボン材質で形成され、互いに隣接する電極と対面する面が５．５〜６．５ｍ２の表面積を有することを特徴とするスチームアイロン。
【請求項２】
請求項１に記載のスチームアイロンにおいて、商用電源が１００〜１２０Ｖの場合、上記の複数の電極は同じ大きさで第１から第４電極が１列に配置され、第１と第３電極および第２と第４電極が互いに連結して、上記の商用電源と連結することを特徴とするスチームアイロン。
【請求項３】
請求項１に記載のスチームアイロンにおいて、商用電源が２００〜２４０Ｖの場合、上記の複数の電極は同じ大きさで第１から第３電極が１列に配置され、第２電極は単独で第１と第３電極が連結して、上記の商用電源と連結することを特徴とするスチームアイロン。
【請求項４】
請求項１に記載のスチームアイロンにおいて、上記の水タンクとスチーム排出口の間に配置され、水タンクで生成されたスチームをスチーム排出口側にガイドする少なくとも３枚の遮断板を有することを特徴とするスチームアイロン。
【請求項５】
請求項４に記載のスチームアイロンにおいて、上記の遮断板の少なくとも一面に設置され、スチーム移動方向に対し上側に傾斜するように配置された複数のガイドピンおよび上記の水タンクで生成されたスチームを通過させるスチーム通過ホールを有することを特徴とするスチームアイロン。
【請求項６】
請求項５に記載のスチームアイロンにおいて、上記のスチーム通過ホールは隣接する遮断板のスチーム通過ホールと互いに向き合わない配置にすることを特徴とするスチームアイロン。